【手続補正書】
【提出日】平成26年7月15日(2014.7.15)
【手続補正１】
【補正対象書類名】特許請求の範囲
【補正対象項目名】全文
【補正方法】変更
【補正の内容】
【特許請求の範囲】
【請求項１】
送信データを回復するためのワイヤレス通信ユニットであって、
データペイロードと少なくとも２つのパイロットとを含む信号を受信するための受信機であって、前記少なくとも２つのパイロットの少なくとも第１のパイロットタイプが前記少なくとも２つのパイロットの第２のパイロットタイプとは異なる、受信機と、
処理装置とを含み、前記処理装置が、
前記受信信号から、前記第１のパイロットタイプの少なくとも１つのパイロットを抽出し、
前記第１のパイロットタイプの前記抽出された少なくとも１つのパイロットを使用して、前記受信信号から前記データペイロードを回復する
ように構成されるワイヤレス通信ユニット。
【請求項２】
前記処理装置がさらに、
前記受信信号から、前記第２のパイロットタイプの少なくとも１つのパイロットを抽出し、
前記第１のパイロットタイプの前記抽出された少なくとも１つのパイロットと、前記第２のパイロットタイプの前記抽出された少なくとも１つのパイロットとを使用して、前記受信信号からデータペイロードを回復する
ように構成される請求項１に記載のワイヤレス通信ユニット。
【請求項３】
少なくとも前記データペイロードと、前記第２のパイロットタイプの少なくとも１つのパイロットとを含む第１の回復されたストリームを生成するために、前記第１のパイロットタイプの前記少なくとも１つのパイロットを使用して、前記受信信号に対する第１のチャネル推定を行うように構成された第１のチャネル推定器をさらに含む請求項１または２に記載のワイヤレス通信ユニット。
【請求項４】
前記受信機が、さらに検出器論理を含み、前記検出器論理が、前記第１のチャネル推定器に動作可能に結合され、前記第１の回復されたストリームを生成するために、第１のチャネル推定器から受信された第１のチャネル推定結果を使用して、前記受信信号のシンボルを検出するように構成される、請求項３に記載のワイヤレス通信ユニット。
【請求項５】
回復されたデータを生成するために、前記第２のパイロットタイプの少なくとも１つのパイロットを使用して、前記第１の回復されたストリームに対して第２のチャネル推定を行うように構成された第２のチャネル推定器（７４５）をさらに含む請求項３または４に記載のワイヤレス通信ユニット。
【請求項６】
前記第１の回復されたストリームが、前記第１のパイロットタイプの少なくとも１つのパイロットを含み、それにより、前記第２のチャネル推定器（７４５）が、回復されたデータを生成するために、前記第１のパイロットタイプの前記少なくとも１つのパイロットと、前記第２のパイロットタイプの前記少なくとも１つのパイロットとを使用して、前記第１の回復されたストリームに対する第２のチャネル推定を行うように構成される請求項５に記載のワイヤレス通信ユニット。
【請求項７】
補正論理（７４０）をさらに含み、前記補正論理（７４０）が、
（ｉ）第２のチャネル推定器から受信された第２のチャネル推定結果を使用した、前記第１の回復されたストリーム中のシンボルの振幅補正と、
（ｉｉ）第２のチャネル推定器から受信された第２のチャネル推定結果を使用した、前記第１の回復されたストリーム中のシンボルの位相補正と
からなる群からの少なくとも１つを行うように構成される請求項５または６に記載のワイヤレス通信ユニット。
【請求項８】
前記少なくとも１つの第１のパイロットが、各サンプリング点で良好な相関特性を有するベースシーケンスを含み、それにより、前記処理装置が、
（ｉ）マルチパスチャネルと、
（ｉｉ）複数のユーザと、
（ｉｉｉ）複数の送信機送信と、
（ｉｖ）複数の送信アンテナと
からなる展開シナリオの群からの少なくとも１つに関して、前記受信信号のデータシンボル回復を行うように構成される請求項１〜７のいずれか一項に記載のワイヤレス通信ユニット。
【請求項９】
前記第２のパイロットタイプの前記少なくとも１つのパイロットが、前記受信信号の時間変動を推定するために前記処理装置によって使用される請求項２〜８のいずれか一項に記載のワイヤレス通信ユニット。
【請求項１０】
前記第２のパイロットタイプの前記少なくとも１つのパイロットが、データフィールド内でデータ間に混在されたいくつかのパイロットシンボルを含む請求項２〜９のいずれか一項に記載のワイヤレス通信ユニット。
【請求項１１】
前記第２のパイロットタイプの前記少なくとも１つのパイロットが、データフィールド内でデータ間に混在されたいくつかのパイロットシンボルを含む請求項２〜１０のいずれか一項に記載のワイヤレス通信ユニット。
【請求項１２】
前記第２のパイロットタイプの前記少なくとも１つのパイロットが、フラットフェーディングチャネルの影響を補償するために抽出される請求項２〜１１のいずれか一項に記載のワイヤレス通信ユニット。
【請求項１３】
前記第２のパイロットタイプの前記少なくとも１つのパイロットが、前記第１のパイロットタイプの前記少なくとも１つのパイロットに少なくとも１つの追加のサンプリング点を提供するように構成される請求項２〜１２のいずれか一項に記載のワイヤレス通信ユニット。
【請求項１４】
前記第２のパイロットタイプの前記少なくとも１つのパイロットが、サンプリング点ｄに位置され、それにより、前記第２のパイロットタイプの前記少なくとも１つのパイロットが、前記ワイヤレス通信ユニットのターゲット展開シナリオによって必要とされる良好な相関特性を示さない請求項１３に記載のワイヤレス通信ユニット。
【請求項１５】
各サンプリング点に関して、前記第１のパイロットタイプの前記少なくとも１つのパイロットの期間が、前記第２のパイロットタイプ（６５０）の前記少なくとも１つのパイロットの期間よりも長い請求項１〜１４のいずれか一項に記載のワイヤレス通信ユニット。
【請求項１６】
送信データを回復するためのワイヤレス通信ユニット用の集積回路であって、
データペイロードと少なくとも２つのパイロットとを含む信号を受信するための受信機であって、少なくとも第１のパイロットタイプが第２のパイロットタイプとは異なる、受信機と、
処理装置とを含み、前記処理装置が、
前記受信信号から、前記第１のパイロットタイプの少なくとも１つのパイロットを抽出し、
前記第１のパイロットタイプの前記抽出された少なくとも１つのパイロットを使用して、前記受信信号から前記データペイロードを回復する
ように構成される集積回路。
【請求項１７】
ワイヤレス通信ユニットにおいて送信データを回復するための方法であって、
データペイロードと少なくとも２つのパイロットとを含む信号を受信するステップであって、少なくとも第１のパイロットタイプが第２のパイロットタイプとは異なる、ステップと、
前記受信信号から、前記第１のパイロットタイプの少なくとも１つのパイロットを抽出するステップと、
前記第１のパイロットタイプの前記抽出された少なくとも１つのパイロットを使用して、前記受信信号から前記データペイロードを回復するステップと
を含む方法。
【請求項１８】
ワイヤレス通信ユニットにおいて送信データを回復するためのプログラムコードを含むコンピュータプログラムであって、前記プログラムコードが、前記ワイヤレス通信ユニットで、
データペイロードと少なくとも２つのパイロットとを含む信号を受信するように動作可能であり、ここで、少なくとも第１のパイロットタイプが第２のパイロットタイプとは異なり、そして、
前記プログラムコードがさらに、前記受信信号から、前記第１のパイロットタイプの少なくとも１つのパイロットを抽出し、そして
前記第１のパイロットタイプの前記抽出された少なくとも１つのパイロットを使用して、前記受信信号から前記データペイロードを回復するように動作可能である
コンピュータプログラム。
【請求項１９】
送信データを生成するためのワイヤレス通信ユニットであって、
送信信号を生成するためにデータペイロードに少なくとも２つのパイロットを挿入するように構成された処理装置であって、前記少なくとも２つのパイロットの少なくとも第１のパイロットタイプが前記少なくとも２つのパイロットの第２のパイロットタイプとは異なる、処理装置と、
前記送信信号をワイヤレスで送信するように構成された送信機と
を含むワイヤレス通信ユニット。
【請求項２０】
送信データを生成するためのワイヤレス通信ユニット用の集積回路であって、ワイヤレス通信用の送信信号を生成するためにデータペイロードに少なくとも２つのパイロットを挿入するように構成された処理装置を含み、ここで、前記少なくとも２つのパイロットの少なくとも第１のパイロットタイプが前記少なくとも２つのパイロットの第２のパイロットタイプとは異なる集積回路。
【請求項２１】
送信データを生成するための方法であって、ワイヤレス通信ユニットにおいて、
送信信号を生成するためにデータペイロードに少なくとも２つのパイロットを挿入するステップであって、前記少なくとも２つのパイロットの少なくとも第１のパイロットタイプが前記少なくとも２つのパイロットの第２のパイロットタイプとは異なる、ステップと、
前記送信信号をワイヤレスで送信するステップと
を含む方法。
【請求項２２】
送信データを生成するためのプログラムコードを含むコンピュータプログラムであって、前記プログラムコードが、ワイヤレス通信ユニットで、
送信信号を生成するためにデータペイロードに少なくとも２つのパイロットを挿入するように動作可能であり、ここで、前記少なくとも２つのパイロットの少なくとも第１のパイロットタイプが前記少なくとも２つのパイロットの第２のパイロットタイプとは異なり、そして
前記プログラムコードがさらに、前記送信信号をワイヤレスで送信するように動作可能である
コンピュータプログラム。